(57)【要約】【課題】穂先部に装着された釣糸結着部の抜けや脱落を防止した釣竿を提供すること【解決手段】釣糸を結着する釣糸結着部１４を支える筒状軸杆１８を備え、この筒状軸杆１８を金属製の穂先部１２ａに、軸方向の相対移動を規制する凹部１６と凸部２２とで形成した保持手段で保持させた釣竿。【選択図】      図１
2007060996.tif 000002
【特許請求の範囲】
【請求項１】
釣糸を結着する釣糸結着部を支える筒状軸杆を備え、この筒状軸杆を金属製の穂先部に、軸方向の相対移動を規制する保持手段で保持させたことを特徴とする釣竿。
【請求項２】
前記筒状軸杆の軸方向に沿って、前記釣糸結着部が外部に露出する位置とこの釣糸結着部の全体を内部に収納する位置との間を移動可能な筒状保持体を備えることを特徴とする請求項1に記載の釣竿。
【請求項３】
前記保持手段は、前記金属製の穂先部の外周に周方向に沿って延設された凹部と、前記筒状軸杆の内周から突出させた周方向に延びる凸部とを有し、この凸部を、前記凹部に圧入することにより、金属製の穂先部に筒状軸杆が圧着固定されることを特徴とする請求項１又は２に記載の釣竿。
【請求項４】
前記保持手段は、前記金属製の穂先部の外周に周方向に沿って設けられた凸部と、前記筒状軸杆の内周に凹部又はこの筒状軸杆を半径方向に貫通する貫通孔を設け、前記凸部を、前記凹部又は貫通孔に嵌合させることにより、金属製の穂先部に筒状軸杆を固定したことを特徴とする請求項１又は２に記載の釣竿。
【請求項５】
前記保持手段は、前記凹部が０．１ｍｍ以上の深さを有することを特徴とする請求項３又は４に記載の釣竿。
【請求項６】
前記保持手段は、金属製の穂先部と筒状軸杆との互いに嵌合する部位で、軸方向に沿って複数箇所に設けられることを特徴とする請求項１から５のいずれか１つに記載の釣竿。
【請求項７】
前記保持手段は、金属製の穂先部と筒状軸杆とのそれぞれに設けられ、互いに螺合によって固定されるねじ部を有することを特徴とする請求項１又は２に記載の釣竿。
【発明の詳細な説明】
【技術分野】
【０００１】
本発明は、釣竿に関し、特に、釣糸を先端に結着する釣糸結着部の基端を支える筒状軸杆を穂先部に保持させた釣竿に関する。
【背景技術】
【０００２】
例えば鮎竿あるいは渓流竿等のように、穂先部に釣糸の道糸を結着する釣竿には、釣糸を結着する釣糸結着部を、筒状軸杆を介して穂先部に接着固定し、この筒状軸杆の軸線を中心として回転自在に支え、この釣糸結着部を軸方向に移動自在の筒状保持体で釣糸結着部から釣糸が脱落するのを防止したものが知られている（例えば特開２０００−１５７１０８参照）。
【特許文献１】特開２０００−１５７１０８
【発明の開示】
【発明が解決しようとする課題】
【０００３】
しかし、このような従来の釣竿では、釣糸結着部を支える筒状保持体が、繊維強化樹脂プリプレグ等により中空あるいは中実に形成された穂先竿の外周に、接着剤を介して固定される。穂先竿は極めて細径の構造を有し、この細径の穂先竿の外周に嵌合する筒状軸杆も細径構造に形成されるため、接着状態にバラツキが生じ易く、一方、このような接着状態は、外部からは確認することができない。したがって、穂先部に対する釣糸結着部の固定強度にもバラツキが生じる。
【０００４】
本発明は、このような事情に基いてなされたもので、穂先部に装着された釣糸結着部の抜けや脱落を防止した釣竿を提供することを目的とする。
【課題を解決するための手段】
【０００５】
上記目的を達成するため、本発明によると、釣糸を結着する釣糸結着部を支える筒状軸杆を備え、この筒状軸杆を金属製の穂先部に、軸方向の相対移動を規制する保持手段で保持させた釣竿が提供される。  
前記筒状軸杆の軸方向に沿って、前記釣糸結着部が外部に露出する位置とこの釣糸結着部の全体を内部に収納する位置との間を移動可能な筒状保持体を更に備えてもよい。
【０００６】
前記保持手段は、前記金属製の穂先部の外周に周方向に沿って延設された凹部と、前記筒状軸杆の内周から突出させた周方向に延びる凸部とを有し、この凸部を、前記凹部に圧入することにより、金属製の穂先部に筒状軸杆を圧着固定することができる。
【０００７】
これとは逆に、前記保持手段は、前記金属製の穂先部の外周に周方向に沿って設けられた凸部と、前記筒状軸杆の内周に凹部又はこの筒状軸杆を半径方向に貫通する貫通孔を設け、前記凸部を、前記凹部又は貫通孔に嵌合させることにより、金属製の穂先部に筒状軸杆を固定してもよい。
【０００８】
このような保持手段は、凹部が０．１ｍｍ以上の深さを有することが好ましい。  
また、保持手段は、金属製の穂先部と筒状軸杆との互いに嵌合する部位で、軸方向に沿って複数箇所に設けてもよい。  
また、保持手段は、金属製の穂先部と筒状軸杆とのそれぞれに設けられ、互いに螺合によって固定されるねじ部を有することもできる。
【発明の効果】
【０００９】
本発明の釣竿によると、金属製の穂先部に、例えば凹部と凸部との圧着による保持手段で、筒状軸杆が保持されることにより、釣糸結着部を支える筒状軸杆の固定強度を高めることができ、筒状軸杆および釣糸結着部が穂先部から抜け落ち難い。  
釣糸結着部が外部に露出する位置とこの釣糸結着部の全体を内部に収納する位置との間を移動可能な筒状保持体を更に備える場合には、釣糸結着部を保護し、釣糸が意に反して外れるのを防止することができる。
【００１０】
このような保持手段の凹部が０．１ｍｍ以上の深さを有する場合には、金属製の穂先部に対して確実かつ容易に固定することができる。  
保持手段が、ねじ部で形成される場合には、より強固な固定強度が得られると共に、固定する部位における固定曲がりが発生し難く、取付けおよび取外しが容易である。
【発明を実施するための最良の形態】
【００１１】
図１および図２は、本発明の好ましい実施形態による釣竿１０の穂先部を示す。  
本実施形態の釣竿１０は、例えば鮎竿あるいは渓流竿として大きく撓むことができると共に魚信に敏感な金属製の穂先竿１２を備え、この穂先竿１２の先端部すなわち穂先部１２ａに、釣糸を結着するためのフック状の釣糸結着部１４を有する結着装置Ｋを取付けてある。
【００１２】
この穂先竿１２は、例えばＮｉ−Ｔｉ系合金、Ｎｉ−Ｔｉ−Ｆｅ系合金、Ｎｉ−Ｔｉ−Ｃｕ系合金、Ｎｉ−Ｔｉ−Ｃｒ系合金等、伸び率が３％以上（具体的には５〜８％程度）で、例えば軸方向の引張り荷重で約３％以上の伸びを生じさせる状態に形状変化をさせた際に、約７０％以上の復元率で元の形状に回復することができる超弾性合金で形成してある。この穂先竿１２は、その全体をこのような超弾性合金により、中実構造あるいは中空構造に形成することができる。このような穂先竿１２の先端部は、先側と元側とが同径のストレート形状が好ましいが、外周面を緩いテーパ状に形成した先細り形状であってもよい。
【００１３】
なお、穂先竿１２は、全体を超弾性合金で形成することに代え、図示しない芯材にこのような超弾性合金を用い、その外側に繊維強化樹脂層を形成してもよい。この繊維強化樹脂層を外側に設ける場合は、超弾性合金の弾性率が約６４Ｎ／ｍｍ２  のときに、約４．９〜２９４Ｎ／ｍｍ２  の範囲の弾性率を持つ炭素繊維強化樹脂あるいはガラス繊維強化樹脂を用いることが好ましい。このような繊維強化樹脂層を外側に形成する場合であっても、上述の結着装置Ｋを取付ける穂先部１２ａには、このような樹脂層で覆われることなく、外周部には金属を露出させることが好ましい。
【００１４】
本実施形態の釣竿１０は、このような金属製の穂先竿１２の先端部である穂先部１２ａに、この外周に周方向に沿って断面が略矩形状の凹部１６を延設してあり、この凹部１６を介して釣糸用の結着装置Ｋを取付けることができる。
【００１５】
この結着装置Ｋは、釣糸結着部１４を支える筒状軸杆１８を備え、この筒状軸杆１８が穂先部１２ａの外周部に嵌合される。本実施形態の筒状軸杆１８は、基端側が開口しかつ先端側が閉じ、穂先部１２ａの外面との間に略０．１ｍｍ程度の僅かな間隙を形成する内孔２０を有する。この筒状軸杆１８の内孔２０内に、先端が内孔２０の閉端部に当接するまで穂先竿１２の穂先部１２ａを挿入し、穂先部１２ａに形成した凹部１６に対応した部位を筒状軸杆１８の外側からカシメ等により、この凹部１６内に筒状軸杆１８の一部が形成する凸部２２を圧入させることで、穂先部１２ａに対する筒状軸杆１８の軸方向の相対移動を規制することができる。したがって、本実施形態では、穂先部１２ａの外周に形成した凹部１６と筒状軸杆１８の内周から突出して凹部１６内に圧入される凸部２２とが、穂先竿１２の穂先部１２ａと結着装置Ｋの筒状軸杆１８との軸方向の相対移動を規制する保持手段を形成する。
【００１６】
この筒状軸杆１８の先端側には、周方向溝２４を形成した首部２６を穂先部１２ａと同軸状に形成してある。一方、釣糸結着部１４の元側には頭部２８が一体に設けられ、この頭部２８の元側から延びるスカート部３０がこの首部２６の外周上に装着される。このスカート部３０の外径は、頭部２８よりも僅かに縮径されており、頭部２８との間に段部２９が形成される。また、スカート部３０の内周からは、カシメ等によりスカート部３０の一部で形成した突出部３２が周方向溝２４内に突入して、この周方向溝２４と緩く嵌合する。これにより、釣糸結着部１４が穂先部１２ａ上に、軸方向移動不能でかつ穂先部１２ａの軸線を中心として回転自在に装着され、結着した釣糸が捩れるのを防止する。本実施形態では、筒状軸杆１８の首部２６は、内孔２０を形成した部位の外径よりも、スカート部３０の肉厚分だけ小径に形成してあり、スカート部３０の端部が筒状軸杆１８の外周面上に段部を形成することはない。換言すると、スカート部３０の外径は、筒状軸杆１８の内孔２０を形成した部位の外径とほぼ等しい。
【００１７】
また、筒状軸杆１８の元側部には、少なくとも周方向の一部を外方に突出させた膨出部３４を形成してある。この膨出部３４の先側は、穂先部１２ａの軸線に対して僅かな角度で先細状に傾斜する傾斜部３６を有する。この傾斜部３６は、後述する筒状保持体３８の後縁部を係止することができ、穂先部１２ａを下向きにして配置したときに、この筒状保持体３８が自重で先端側に滑落するのを阻止する。
【００１８】
筒状保持体３８は、筒状軸杆１８の外側に装着され、先側の端部を外方に折り返して滑らかな湾曲面に形成した円筒状形状を有し、図１の（Ａ）に示す引込位置と、図１の（Ｂ）に示す突出位置との間を軸方向に移動することができる。この筒状保持体３８の内径は、釣糸結着部１４を突出させた頭部２８よりも、先側が僅かに大きく、元側が僅かに小さく形成してあり、引込位置に配置されて元側を膨出部３４の傾斜部３６で係止されたときに、釣糸結着部１４を露出して釣糸結着操作を容易とし、突出位置に配置されたときに、釣糸結着部１４を完全に覆い、フック状形状の釣糸結着部１４から釣糸が脱落するのを防止する。突出位置に配置されたときに、筒状保持体３８の先側端部が滑らかな湾曲面で形成されているため、釣糸を傷つけることはない。
【００１９】
更に、この筒状保持体３８は、突出位置に配置されたときに、頭部２８の先側に係合する小突部４０を内周側に突出させてある。これにより、魚釣中に、釣糸結着部１４に一端を結ばれた釣糸に作用する力で、筒状保持体３８が意に反して引込位置に戻るのを防止する。また、図示の筒状保持体３８は、引込位置にあるときに筒状軸杆１８の首部２６に形成した周方向溝２４および突出部３２を露出させ、突出位置にあるときに穂先部１２ａの凹部１６および突部２２を露出させる長さに形成してあるが、一方の位置にあるときに、周方向溝２４および凹部１６の双方がこの筒状保持体３８の外側に配置される長さに形成してもよい。
【００２０】
このような結着装置Ｋを形成する筒状軸杆１８および筒状保持体３８は、例えばＳＵＳ、真鍮、アルミニウム合金あるいはチタン等の金属の他、繊維強化樹脂やセラミックス等の適宜の材料で形成することができる。特に、筒状軸杆１８を金属で形成する場合には、金属製の穂先部１２ａとの固定強度を高めることができ、この筒状軸杆１８および釣糸結着部１４が穂先部１２ａから抜け落ちるのを防止することができる。また、釣糸結着部１４、頭部２８およびスカート部３０は十分な強度を持つ金属で形成することが好ましい。
【００２１】
このような結着装置Ｋを穂先部１２ａに取付ける場合は、釣糸結着部１４と筒状軸杆１８と筒状保持体３０とから釣糸の結着装置Ｋを組立てた後、以下のように行うことが好ましい。  
まず、金属製の穂先部１２ａの外面に接着剤を塗布し、筒状軸杆１８の内孔２０内に挿入する。このとき、筒状軸杆１８の内孔２０の内面にも接着剤を塗布してもよい。  
筒状軸杆１８の開口端から漏出した余分の接着剤を払拭した後、筒状軸杆１８の穂先部１２ａの凹部１６に対応した部位を、カシメ等により圧着し、凸部２２を凹部１６内に圧入する。この凸部２２は、筒状軸杆１８の全周にわたって連続的に形成してもよく、あるいは、不連続状態に少なくとも一箇所に形成してもよい。穂先部１２ａの外径と筒状軸杆１８の内孔２０の内径との差は、０．１ｍｍ程度であるため、簡単かつ確実に圧着することができ、ガタツキを生じさせることもない。
【００２２】
図２に示すように、この穂先部１２ａと筒状軸杆１８とが金属で形成されている場合には、凹部１６の深さｄがほぼ０．１ｍｍ以上に形成されていることが好ましい。このような凹部１６に圧入される凸部２２は、凹部１６の側壁部１６ａに係合する側部を内孔２０の周面から略直角に立上げることも可能である。しかし、凹部１６の側壁部１６ａに係合するものであれば、凸部２２の側部を傾斜面で形成しあるいは湾曲面で形成してもよい。いずれの場合も、その形状的な係合により、これらの２つの部材を確実に抜け止め係合させることができる。また、圧着は、凹部１６と凸部２２との噛合いを生じさせる場合に限らず、穂先部１２ａの円筒状外面とこれに対向する筒状軸部１８の円筒状内面とを、互いに圧接する状態として、その押圧力で、これらの２つの部材を抜け止め係合させてもよい。但し、この場合の固定力は、凹部１６と凸部２２とを嵌合させた場合よりも低下するため、それぞれの係合面を粗面状に形成しておくことが好ましい。
【００２３】
このように圧着した後、接着剤が硬化するまで、筒状軸杆１８側すなわち穂先部１２ａを上側にした状態に保持し、筒状軸杆１８を所要位置に保持しておくことが好ましい。
【００２４】
なお、筒状軸杆１８と穂先部１２ａとの圧着は、接着剤が硬化した後に行っても良い。特に、エポキシ樹脂系の接着剤を使用した場合には、この接着剤が硬化した後も弾性を有しているため、圧着により接着層を破壊する虞はないからである。なお、接着剤は、このようなエポキシ樹脂系の他にも、シアノアクリレート系、塩化ビニール系、嫌気性アクリル系であってもよい。また、上述とは逆に、接着剤を塗布することなく、筒状軸杆１８と穂先部１２ａと圧着し、この後、例えばシアノアクリレート系接着剤等の瞬間接着剤をその隙間から流し込んでもよい。
【００２５】
このように釣糸結着装置Ｋを穂先部１２ａに取付けられた釣竿１０は、金属製の穂先部１２ａと筒状軸杆１８とを、互いに形状的に噛合いあるいは押圧する強固な保持手段で連結したことにより、固定強度を高めることができ、筒状軸杆１８が穂先部１２ａから抜け落ちるのを防止することができる。
【００２６】
図３は、種々の変形例による釣竿１０を示す。なお、図３に示す変形例も基本的には上述の実施形態と同様であるため、同様な部位には同様な符号を付し、その詳細な説明を省略する。
【００２７】
図３の(Ａ）は、上述の実施形態における保持手段の凹部１６に代えて、穂先部１２ａの外周に周方向に沿って凸部４２を連続的に設け、内孔２０の内面にこの凸部４２が嵌合する周方向凹部４４を周方向に沿って設けたものである。また、図３の（Ｂ）は、穂先部１２ａの外周に、周方向に沿って一定の間隔をおいて複数の凸部４６を設け、筒状軸杆１８の壁面を半径方向に貫通する貫通孔４８を凸部４６に対応させて設けたものである。いずれの保持手段も、その形状的な噛合いにより、釣糸結着部１４を支える筒状軸杆３８の固定強度を高めることができ、筒状軸杆３８が穂先部１２ａから抜け落ち難い構造を形成する。
【００２８】
また、図３の（Ｃ）は、穂先部１２ａの先端と筒状軸杆３８の内孔２０とに互いに螺合するねじを形成したねじ結合部５０により、これらの穂先部１２ａと筒状軸杆３８とを固定したものである。この場合には、結着装置Ｋの着脱が可能であり、必要に応じて結着装置Ｋのみを交換することができる。
【００２９】
更に、図３の（Ｄ）は、図１に示す実施形態と同様な凹部１６が軸方向に間隔をおいて、例えば２箇所等の複数位置に配置し、これに対応する凸部２２を内孔２０の内面に形成したものである。この場合には、複数部位で穂先部１２ａと結着装置Ｋの筒状軸杆３８とを固定することができるため、より強固な固定強度が得られると共に、固定曲がり、すなわちカシメ等の圧着力が周方向に沿って不均等に作用することにより、筒状軸杆３８が穂先部１２ａの軸線に対して曲がる状態となることが防止される。
【００３０】
なお、図３の（Ｄ）の変形例のように、穂先部１２ａの軸方向に沿う複数部位で筒状軸杆１８を固定する場合には、その一方に、例えば図３の(Ａ）に示す凸部４２あるいは図３の（Ｂ）に示す凸部４６を用いることも可能である。  
また、上述の実施形態あるいは変形例では、釣糸結着部１４の先側をフック状に形成し、このフック状に形成した部分に釣糸を掛けるようにしたが、これに限らず、螺旋状構造あるいはチチ輪状構造等の種々の構造に形成することができる。フック状構造に代えて、例えばリング状等の釣糸が抜け出る可能性の低い構造を採用する場合には、筒状保持体３２を省略することも可能である。この場合には、竿先部の軽量化が促進される。
【図面の簡単な説明】
【００３１】
【図１】本発明の好ましい実施形態による釣竿の先端部を示し、(Ａ）は釣糸結着部を露出した状態の説明図、（Ｂ）は釣糸結着部を筒状保持体で覆った状態の説明図。
【図２】図１に示す穂先部と筒状軸杆とを結合する保持手段の拡大図。
【図３】種々の変形例を示し、（Ａ）は穂先部に周方向に連続する凸部を有する保持手段を有する釣竿の先端部の説明図、（Ｂ）は周方向に沿う複数の凸部を有する保持手段の説明図、（Ｃ）はねじを用いた保持手段を有する釣竿の先端部の説明図、（Ｄ）は軸方向に沿って設けた複数の保持手段を有する釣竿の先端部の説明図。
【符号の説明】
【００３２】
１０…釣竿、１２…穂先竿、１２ａ…穂先部、１４…釣糸結着部、１６…凹部（保持手段）、１８…筒状軸杆、２２…凸部（保持手段）、３８…筒状保持体。
【図１】
2007060996.tif 000003
【図２】
2007060996.tif 000004
【図３】
2007060996.tif 000005